(57)【要約】      （修正有）【課題】画像の画質を向上させる。【解決手段】第一色の流体を媒体に噴射するノズル及び第二色の流体を媒体に噴射するノズルが所定方向に第一色が第二色よりも先行する色順で並んだ第一ノズル列が、該所定方向と交差する交差方向に複数並ぶ第一ヘッド３２と、該第一ヘッドよりも所定方向において下流側に位置し、双方のノズルが所定方向に色順と同じ色順で並んだ第二ノズル列が交差方向に複数並ぶ第二ヘッド３３とを有し、前記第一ヘッド３２の交差方向における一端側の端部に位置する第一ノズル列が第二ヘッド３３の交差方向における他端側の端部に位置する第二ノズル列と交差方向において重なることにより、第一ノズル列と第二ノズル列とが所定方向に並んだ複合ノズル列が形成されているヘッドユニットにおいて、非複合ノズル列により形成された画像の画像特性と複合ノズル列により形成された画像の画像特性とが相違しないようにする。【選択図】図３
2010058289.tif 000002
【特許請求の範囲】
【請求項１】
第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも前記所定方向において下流側に位置し、双方の前記ノズルが前記所定方向に前記色順と同じ色順で並んだ第二ノズル列が前記交差方向に複数並ぶ第二ヘッドとを有し、前記第一ヘッドの前記交差方向における一端側の端部に位置する前記第一ノズル列が前記第二ヘッドの前記交差方向における他端側の端部に位置する前記第二ノズル列と前記交差方向において重なることにより、前記第一ノズル列と前記第二ノズル列とが前記所定方向に並んだ複合ノズル列が形成されているヘッドユニットと、
前記媒体を前記ヘッドユニットに対して前記所定方向に相対移動させる移動機構と、
前記移動機構により相対移動する前記媒体に対し、色毎に前記複合ノズル列に属する前記第一ノズル列及び前記第二ノズル列のノズルから流体を噴射させて、色重ねされたドットを前記所定方向に沿って複数配列させることによりラスタラインを形成するコントローラと、を有する流体噴射装置であって、
前記コントローラは、
前記第一ノズル列から噴射される前記第一色の流体の前記ラスタライン上の量をＡ１、前記第二ノズル列から噴射される前記第一色の流体の前記ラスタライン上の量をＡ２、前記第一ノズル列から噴射される前記第二色の流体の前記ラスタライン上の量をＢ１、前記第二ノズル列から噴射される前記第二色の流体の前記ラスタライン上の量をＢ２、としたときに、
Ａ１のＡ１＋Ａ２に対する第一比率がＢ１のＢ１＋Ｂ２に対する第二比率よりも大きくなるように流体を噴射させて、前記ラスタラインを形成することを特徴とする流体噴射装置。
【請求項２】
請求項１に記載の流体噴射装置において、
前記ヘッドユニットには、前記一端側の端部に位置するＭ個の前記第一ノズル列が前記他端側の端部に位置するＭ個の前記第二ノズル列と前記交差方向において重なることにより、Ｍ個の前記複合ノズル列が形成されており、
前記コントローラは、
前記移動機構により相対移動する前記媒体に対し、色毎に、かつ、Ｍ個の前記複合ノズル列の各々毎に、該複合ノズル列に属する前記第一ノズル列及び前記第二ノズル列のどちらか一方のノズルから流体を噴射させて、色重ねされたドットを前記所定方向に沿って複数配列させることによりＭ個のラスタラインを形成し、
前記Ｍ個のラスタラインの中の前記他端側に位置するラスタラインほど前記第一比率及び前記第二比率が大きくなるように流体を噴射させて、前記ラスタラインを形成することを特徴とする流体噴射装置。
【請求項３】
請求項１又は請求項２に記載の流体噴射装置において、
該流体噴射装置は印刷装置であり、
前記コントローラは、
前記第一比率及び前記第二比率の値を、前記媒体の種類又は印刷モードの種類に応じて変更することを特徴とする流体噴射装置。
【請求項４】
請求項１乃至請求項３のいずれかに記載の流体噴射装置において、
前記第一ノズル列及び前記第二ノズル列においては、シアン色の流体を媒体に噴射するノズル、マゼンタ色の流体を媒体に噴射するノズル、及び、イエロー色の流体を媒体に噴射するノズルが前記所定方向にシアン色、マゼンタ色、イエロー色の色順で並んでおり、
前記コントローラは、
前記移動機構により相対移動する前記媒体に対し、シアン色、マゼンタ色、イエロー色の三色の各々毎に前記複合ノズル列に属する前記第一ノズル列及び前記第二ノズル列のどちらか一方のノズルから流体を噴射させて、前記三色が色重ねされたドットを前記所定方向に沿って複数配列させることによりラスタラインを形成し、
前記第一ノズル列から噴射される前記シアン色の流体の前記ラスタライン上の量をＣ１、前記第二ノズル列から噴射される前記シアン色の流体の前記ラスタライン上の量をＣ２、前記第一ノズル列から噴射される前記マゼンタ色の流体の前記ラスタライン上の量をＭ１、前記第二ノズル列から噴射される前記マゼンタ色の流体の前記ラスタライン上の量をＭ２、前記第一ノズル列から噴射される前記イエロー色の流体の前記ラスタライン上の量をＹ１、前記第二ノズル列から噴射される前記イエロー色の流体の前記ラスタライン上の量をＹ２、としたときに、
Ｃ１のＣ１＋Ｃ２に対する比率＞Ｍ１のＭ１＋Ｍ２に対する比率＞Ｙ１のＹ１＋Ｙ２に対する比率という関係式を満たすように流体を噴射させて、前記ラスタラインを形成することを特徴とする流体噴射装置。
【請求項５】
第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも前記所定方向において下流側に位置し、双方の前記ノズルが前記所定方向に前記色順と同じ色順で並んだ第二ノズル列が前記交差方向に複数並ぶ第二ヘッドとを有し、前記第一ヘッドの前記交差方向における一端側の端部に位置する前記第一ノズル列が前記第二ヘッドの前記交差方向における他端側の端部に位置する前記第二ノズル列と前記交差方向において重なることにより、前記第一ノズル列と前記第二ノズル列とが前記所定方向に並んだ複合ノズル列が形成されているヘッドユニットを準備することと、
前記ヘッドユニットに対して前記所定方向に相対移動する前記媒体に対し、色毎に前記複合ノズル列に属する前記第一ノズル列及び前記第二ノズル列のノズルから流体を噴射させて、色重ねされたドットを前記所定方向に沿って複数配列させることによりラスタラインを形成することと、を有する流体噴射方法において、
前記ラスタラインを形成する際には、
前記第一ノズル列から噴射される前記第一色の流体の前記ラスタライン上の量をＡ１、前記第二ノズル列から噴射される前記第一色の流体の前記ラスタライン上の量をＡ２、前記第一ノズル列から噴射される前記第二色の流体の前記ラスタライン上の量をＢ１、前記第二ノズル列から噴射される前記第二色の流体の前記ラスタライン上の量をＢ２、としたときに、
Ａ１のＡ１＋Ａ２に対する第一比率がＢ１のＢ１＋Ｂ２に対する第二比率よりも大きくなるように流体を噴射させて、前記ラスタラインを形成することを特徴とする流体噴射方法。
【発明の詳細な説明】
【技術分野】
【０００１】
本発明は、流体噴射装置、及び、流体噴射方法に関する。
【背景技術】
【０００２】
互いに異なる色の流体を媒体に噴射する複数のノズルを有するヘッドユニットと、媒体を該ヘッドユニットに対して所定方向に相対移動させる移動機構と、該移動機構により相対移動する媒体に対し流体を噴射させて、色重ねされたドットを所定方向に沿って複数配列させることによりラスタラインを形成するコントローラと、を備える流体噴射装置は既に知られている。かかる流体噴射装置としては、例えば、印刷装置であるラインヘッドインクジェットプリンタを挙げることができる。
【０００３】
また、このような流体噴射装置の中には、第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも所定方向において下流側に位置し、双方の前記ノズルが前記所定方向に前記色順と同じ色順で並んだ第二ノズル列が前記交差方向に複数並ぶ第二ヘッドとを有するヘッドユニットを備えるものがある。そして、かかるヘッドユニットにおいては、第一ヘッドの交差方向における一端側の端部に位置する第一ノズル列が第二ヘッドの交差方向における他端側の端部に位置する第二ノズル列と交差方向において重なることにより、第一ノズル列と第二ノズル列とが所定方向に並んだ複合ノズル列が形成されている。
【特許文献１】特開平６−２５５１７５号公報
【発明の開示】
【発明が解決しようとする課題】
【０００４】
このようなヘッドユニットを備える流体噴射装置においては、コントローラが、媒体に対し、色毎に複合ノズル列に属する第一ノズル列及び第二ノズル列のノズルから流体を噴射させて、色重ねされたドットを所定方向に沿って複数配列させることによりラスタラインを形成する。
【０００５】
そして、かかる際に、当該ラスタラインにより構成される画像部分（すなわち、複合ノズル列から噴射される流体により形成される画像部分）と他のラスタラインにより構成される画像部分（すなわち、複合ノズル列ではない非複合ノズル列から噴射される流体により形成される画像部分）との画像特性が異なることで、画像の画質が劣化してしまうという問題が生じていた。
【０００６】
本発明は係る課題に鑑みてなされたものであり、目的とするところは、画像の画質を向上させることにある。
【課題を解決するための手段】
【０００７】
前記課題を解決するために、主たる本発明は、
第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも前記所定方向において下流側に位置し、双方の前記ノズルが前記所定方向に前記色順と同じ色順で並んだ第二ノズル列が前記交差方向に複数並ぶ第二ヘッドとを有し、前記第一ヘッドの前記交差方向における一端側の端部に位置する前記第一ノズル列が前記第二ヘッドの前記交差方向における他端側の端部に位置する前記第二ノズル列と前記交差方向において重なることにより、前記第一ノズル列と前記第二ノズル列とが前記所定方向に並んだ複合ノズル列が形成されているヘッドユニットと、
前記媒体を前記ヘッドユニットに対して前記所定方向に相対移動させる移動機構と、
前記移動機構により相対移動する前記媒体に対し、色毎に前記複合ノズル列に属する前記第一ノズル列及び前記第二ノズル列のノズルから流体を噴射させて、色重ねされたドットを前記所定方向に沿って複数配列させることによりラスタラインを形成するコントローラと、を有する流体噴射装置であって、
前記コントローラは、
前記第一ノズル列から噴射される前記第一色の流体の前記ラスタライン上の量をＡ１、前記第二ノズル列から噴射される前記第一色の流体の前記ラスタライン上の量をＡ２、前記第一ノズル列から噴射される前記第二色の流体の前記ラスタライン上の量をＢ１、前記第二ノズル列から噴射される前記第二色の流体の前記ラスタライン上の量をＢ２、としたときに、
Ａ１のＡ１＋Ａ２に対する第一比率がＢ１のＢ１＋Ｂ２に対する第二比率よりも大きくなるように流体を噴射させて、前記ラスタラインを形成することを特徴とする流体噴射装置である。
【０００８】
本発明の他の特徴については、本明細書及び添付図面の記載により明らかにする。
【発明を実施するための最良の形態】
【０００９】
本明細書及び添付図面の記載により少なくとも次のことが明らかにされる。
【００１０】
第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも前記所定方向において下流側に位置し、双方の前記ノズルが前記所定方向に前記色順と同じ色順で並んだ第二ノズル列が前記交差方向に複数並ぶ第二ヘッドとを有し、前記第一ヘッドの前記交差方向における一端側の端部に位置する前記第一ノズル列が前記第二ヘッドの前記交差方向における他端側の端部に位置する前記第二ノズル列と前記交差方向において重なることにより、前記第一ノズル列と前記第二ノズル列とが前記所定方向に並んだ複合ノズル列が形成されているヘッドユニットと、
前記媒体を前記ヘッドユニットに対して前記所定方向に相対移動させる移動機構と、
前記移動機構により相対移動する前記媒体に対し、色毎に前記複合ノズル列に属する前記第一ノズル列及び前記第二ノズル列のノズルから流体を噴射させて、色重ねされたドットを前記所定方向に沿って複数配列させることによりラスタラインを形成するコントローラと、を有する流体噴射装置であって、
前記コントローラは、
前記第一ノズル列から噴射される前記第一色の流体の前記ラスタライン上の量をＡ１、前記第二ノズル列から噴射される前記第一色の流体の前記ラスタライン上の量をＡ２、前記第一ノズル列から噴射される前記第二色の流体の前記ラスタライン上の量をＢ１、前記第二ノズル列から噴射される前記第二色の流体の前記ラスタライン上の量をＢ２、としたときに、
Ａ１のＡ１＋Ａ２に対する第一比率がＢ１のＢ１＋Ｂ２に対する第二比率よりも大きくなるように流体を噴射させて、前記ラスタラインを形成することを特徴とする流体噴射装置。
【００１１】
このような流体噴射装置によれば、非複合ノズル列から噴射される流体により形成される画像部分と複合ノズル列から噴射される流体により形成される画像部分との画像特性とが相違することが抑制され、画像の画質が向上する。
【００１２】
また、前記ヘッドユニットには、前記一端側の端部に位置するＭ個の前記第一ノズル列が前記他端側の端部に位置するＭ個の前記第二ノズル列と前記交差方向において重なることにより、Ｍ個の前記複合ノズル列が形成されており、
前記コントローラは、
前記移動機構により相対移動する前記媒体に対し、色毎に、かつ、Ｍ個の前記複合ノズル列の各々毎に、該複合ノズル列に属する前記第一ノズル列及び前記第二ノズル列のどちらか一方のノズルから流体を噴射させて、色重ねされたドットを前記所定方向に沿って複数配列させることによりＭ個のラスタラインを形成し、
前記Ｍ個のラスタラインの中の前記他端側に位置するラスタラインほど前記第一比率及び前記第二比率が大きくなるように流体を噴射させて、前記ラスタラインを形成することとしてもよい。  
かかる場合には、前記交差方向において画像特性がなだらかに変化する画像を得ることが可能となるため、画像の画質がさらに向上する。
【００１３】
また、該流体噴射装置は印刷装置であり、
前記コントローラは、
前記第一比率及び前記第二比率の値を、前記媒体の種類又は印刷モードの種類に応じて変更することとしてもよい。  
かかる場合には、第一比率の値や第二比率の値を媒体の特性や印刷モードの特性が考慮された適切な値とすることが可能となる。
【００１４】
また、前記第一ノズル列及び前記第二ノズル列においては、シアン色の流体を媒体に噴射するノズル、マゼンタ色の流体を媒体に噴射するノズル、及び、イエロー色の流体を媒体に噴射するノズルが前記所定方向にシアン色、マゼンタ色、イエロー色の色順で並んでおり、
前記コントローラは、
前記移動機構により相対移動する前記媒体に対し、シアン色、マゼンタ色、イエロー色の三色の各々毎に前記複合ノズル列に属する前記第一ノズル列及び前記第二ノズル列のどちらか一方のノズルから流体を噴射させて、前記三色が色重ねされたドットを前記所定方向に沿って複数配列させることによりラスタラインを形成し、
前記第一ノズル列から噴射される前記シアン色の流体の前記ラスタライン上の量をＣ１、前記第二ノズル列から噴射される前記シアン色の流体の前記ラスタライン上の量をＣ２、前記第一ノズル列から噴射される前記マゼンタ色の流体の前記ラスタライン上の量をＭ１、前記第二ノズル列から噴射される前記マゼンタ色の流体の前記ラスタライン上の量をＭ２、前記第一ノズル列から噴射される前記イエロー色の流体の前記ラスタライン上の量をＹ１、前記第二ノズル列から噴射される前記イエロー色の流体の前記ラスタライン上の量をＹ２、としたときに、
Ｃ１のＣ１＋Ｃ２に対する比率＞Ｍ１のＭ１＋Ｍ２に対する比率＞Ｙ１のＹ１＋Ｙ２に対する比率という関係式を満たすように流体を噴射させて、前記ラスタラインを形成することとしてもよい。  
かかる場合には、非複合ノズル列から噴射される流体により形成される画像部分と複合ノズル列から噴射される流体により形成される画像部分との画像特性とが相違することがさらに抑制され、画像の画質がより一層向上する。
【００１５】
第一色の流体を媒体に噴射するノズル及び第二色の流体を媒体に噴射するノズルが所定方向に前記第一色が前記第二色よりも先行する色順で並んだ第一ノズル列が、該所定方向と交差する交差方向に複数並ぶ第一ヘッドと、該第一ヘッドよりも前記所定方向において下流側に位置し、双方の前記ノズルが前記所定方向に前記色順と同じ色順で並んだ第二ノズル列が前記交差方向に複数並ぶ第二ヘッドとを有し、前記第一ヘッドの前記交差方向における一端側の端部に位置する前記第一ノズル列が前記第二ヘッドの前記交差方向における他端側の端部に位置する前記第二ノズル列と前記交差方向において重なることにより、前記第一ノズル列と前記第二ノズル列とが前記所定方向に並んだ複合ノズル列が形成されているヘッドユニットを準備することと、
前記ヘッドユニットに対して前記所定方向に相対移動する前記媒体に対し、色毎に前記複合ノズル列に属する前記第一ノズル列及び前記第二ノズル列のノズルから流体を噴射させて、色重ねされたドットを前記所定方向に沿って複数配列させることによりラスタラインを形成することと、を有する流体噴射方法において、
前記ラスタラインを形成する際には、
前記第一ノズル列から噴射される前記第一色の流体の前記ラスタライン上の量をＡ１、前記第二ノズル列から噴射される前記第一色の流体の前記ラスタライン上の量をＡ２、前記第一ノズル列から噴射される前記第二色の流体の前記ラスタライン上の量をＢ１、前記第二ノズル列から噴射される前記第二色の流体の前記ラスタライン上の量をＢ２、としたときに、
Ａ１のＡ１＋Ａ２に対する第一比率がＢ１のＢ１＋Ｂ２に対する第二比率よりも大きくなるように流体を噴射させて、前記ラスタラインを形成することを特徴とする流体噴射方法。
【００１６】
このような流体噴射方法によれば、非複合ノズル列から噴射される流体により形成される画像部分と複合ノズル列から噴射される流体により形成される画像部分との画像特性とが相違することが抑制され、画像の画質が向上する。
【００１７】
＝＝＝本実施の形態に係る流体噴射装置の概要＝＝＝
＜＜＜印刷システムの構成例＞＞＞
印刷システムの構成例について、図１、図２Ａ、図２Ｂ、図３を用いて説明する。図１は、本実施形態に係る印刷システムの全体構成ブロック図である。図２Ａは、プリンタ１の断面図である。図２Ｂは、プリンタ１が用紙Ｓ（媒体）を搬送する様子を示す図である。図３は、ヘッドユニット３０の下面におけるノズルの配列を示した模式図である。なお、図２Ｂは、図２Ａに示す方向Ｘからヘッドユニット３０等を見た図である。
【００１８】
印刷システムは、コンピュータ６０と流体噴射装置の一例としての印刷装置（ラインヘッドインクジェットプリンタ、以下、単にプリンタ１と呼ぶ）を備えている。なお、プリンタ１とコンピュータ６０とを含む印刷システムは、広義の「流体噴射装置」と呼ぶこともできる。
【００１９】
コンピュータ６０は、アプリケーションソフトやプリンタドライバを備える。コンピュータ６０は、アプリケーションソフトにより生成される多階調の画像データを二値化された印刷データに変換する。当該変換は、プリンタドライバによる画像処理によって実現される。
【００２０】
コンピュータ６０から印刷データを受信したプリンタ１は、コントローラ１０により、各ユニット（移動機構の一例としての搬送ユニット２０、ヘッドユニット３０等）を制御し、媒体の一例としての用紙Ｓに画像を形成する。また、プリンタ１内の状況を検出器群４０が監視し、その検出結果に基づいて、コントローラ１０は各ユニットを制御する。
【００２１】
コントローラ１０は、プリンタ１の制御を行うための制御ユニットである。インターフェース部１１は、外部装置であるコンピュータ６０とプリンタ１との間でデータの送受信を行うためのものである。ＣＰＵ１２は、プリンタ１全体の制御を行うための演算処理装置である。メモリ１３は、ＣＰＵ１２のプログラムを格納する領域や作業領域等を確保するためのものである。ＣＰＵ１２は、メモリ１３に格納されているプログラムに従ったユニット制御回路１４により各ユニットを制御する。
【００２２】
搬送ユニット２０は、用紙Ｓを印刷可能な位置に送り込み、印刷時には搬送方向（所定方向に相当）に所定の搬送量で用紙Ｓを搬送させる。この搬送ユニット２０は、図２Ａに示すように、給紙ローラ２１と、搬送ローラ２２と、プラテン２３と、排紙ローラ２４とを有する。給紙ローラ２１は、紙挿入口に挿入された用紙Ｓをプリンタ１内に給紙するためのローラである。搬送ローラ２２は、給紙ローラ２１によって給紙された用紙Ｓを印刷可能な領域まで搬送するローラである。プラテン２３は、印刷中の用紙Ｓを支持する。排紙ローラ２４は、用紙Ｓをプリンタ１の外部に排出するローラである。
【００２３】
ヘッドユニット３０は、用紙Ｓに流体の一例としてのインクを噴射するためのものである。ヘッドユニット３０は、搬送中の用紙Ｓに対してインクを噴射することにより、用紙Ｓにドットを形成し、もって画像を用紙Ｓに印刷する。そして、本実施の形態に係るヘッドユニット３０は、紙幅分のドットを一度に形成することができる。
【００２４】
ここで、本実施の形態に係るヘッドユニット３０の構成について、図３を参照しつつ詳細に説明する。ヘッドユニット３０は複数のヘッド３１を備えている。各ヘッド３１の下面には、インク噴射部であるノズルが複数設けられている。そして、搬送方向において、互いに異なる色のインクを噴射する複数（本実施の形態においては４個）のノズルが所定の色順（本実施の形態においては、ブラックＫ→シアンＣ→マゼンタＭ→イエローＹ）で並んでいる。そして、当該搬送方向に並んだ４つのノズルはノズル列を形成しており、当該ノズル列が搬送方向と交差する（紙）幅方向（交差方向に相当）に、一定の間隔（３６０ｄｐｉ）で複数（本実施の形態においては、３６０個）並んでいる。そして、各ノズルには、インクが入った圧力室（不図示）と、圧力室の容量を変化させてインクを噴射させるための駆動素子（ピエゾ素子）が設けられている。
【００２５】
複数のヘッド３１は幅方向に千鳥状に並んで配置されている。すなわち、複数のヘッド３１は、搬送方向上流側に位置する上流側ヘッド３２と搬送方向下流側に位置する下流側ヘッド３３とに分けられ、幅方向において、上流側ヘッド３２と下流側ヘッド３３とが交互に並んでいる（つまり、・・・・→上流側ヘッド３２→下流側ヘッド３３→上流側ヘッド３２→・・・・）。また、幅方向において互いに隣り合う上流側ヘッド３２及び下流側ヘッド３３のうちの一方のヘッドの端部と他方のヘッドの端部が幅方向において重なるように、当該互いに隣り合う上流側ヘッド３２及び下流側ヘッド３３が配置されている。
【００２６】
例えば、図３において符号３２０で示した上流側ヘッドを第一ヘッド３２０、符号３３０で示した下流側ヘッドを第二ヘッド３３０としたときに、上流側ヘッド３２である第一ヘッド３２０の幅方向における手前側端部（一端側の端部に相当）と第一ヘッド３２０よりも搬送方向において下流側に位置する下流側ヘッド３３である第二ヘッド３３０の幅方向における奥側端部（他端側の端部に相当）とが幅方向において重なっている。そして、第一ヘッド３２０の前記手前側端部に位置するＭ個（本実施の形態においては８個）のノズル列（当該第一ヘッド３２０のノズル列を、以下、第一ノズル列とする）が、第二ヘッド３３０の前記奥側端部に位置するＭ個のノズル列（当該第二ヘッド３３０のノズル列を、以下、第二ノズル列とする）と幅方向において重なっている。そして、この結果、第一ノズル列と第二ノズル列とが搬送方向に並んだ複合ノズル列（図３参照）がＭ個形成されている。
【００２７】
＜＜＜印刷処理例＞＞＞
ここでは、カラー印刷処理を例に挙げて、印刷処理例について説明する。コントローラ１０は、コンピュータ６０から印刷命令及び印刷データを受信すると、印刷データに含まれる各種コマンドの内容を解析し、各ユニットを用いて、以下の処理を行う。
【００２８】
まず、コントローラ１０は、給紙ローラ２１を回転させ、印刷すべき用紙Ｓをプリンタ１内に給紙する。そして、コントローラ１０は、搬送ローラ２２を回転させ、給紙された用紙Ｓを印刷開始位置に位置決めする。このとき、用紙Ｓは、ヘッド３１の少なくとも一部のノズルと対向している（以上を、便宜上、第一印刷処理ステップと呼ぶ）。  
次に、用紙Ｓは搬送ローラ２２によって一定速度で停まることなく搬送され、ヘッド３１の下（プラテン２３の上）を通る。ヘッド３１の下を用紙Ｓが通る間に、各ノズルからインクが断続的に噴射される。その結果、用紙Ｓ上には搬送方向に沿った複数のドットからなるドット列(ラスタライン)が形成される（以上を、便宜上、第二印刷処理ステップと呼ぶ）。  
そして、最後に、コントローラ１０は、排紙ローラ２４により、画像の印刷が終了した用紙Ｓを排紙する（以上を、便宜上、第三印刷処理ステップと呼ぶ）。
【００２９】
ここで、前記第二印刷処理ステップについて、さらなる説明を加える。カラー印刷処理において、コントローラ１０は、搬送される用紙Ｓに対して、前述したノズル列（又は、複合ノズル列）に属するノズルの各々から互いに異なる色のインクを噴射させ、色重ねされたドットを搬送方向に沿って複数配列させることにより当該ノズル列（又は、複合ノズル列）毎にラスタラインを形成する。本実施の形態においては、重ねられる色はシアンＣ、マゼンタＭ、イエローＹであり、当該三色のインクが用紙Ｓ上の同一位置に着弾され、色重ねされたドットが形成される。
【００３０】
ここで、三色（のインク）について、どのような順に色（インク）が重ねられるかについて考察すると、これに関しては、複合ノズル列に属するノズルの各々から三色のインクを噴射させ三色が重ねられたドットを形成する場合と、複合ノズル列ではないノズル列（例えば、複合ノズル列よりも幅方向における奥側に位置する第一ノズル列や複合ノズル列よりも幅方向における手前側に位置する第二ノズル列（いずれについても、図３参照）。以下、非複合ノズル列とも呼ぶ）に属するノズルの各々から三色のインクを噴射させ三色が重ねられたドットを形成する場合とで、異なっている。
【００３１】
先ず、非複合ノズル列について説明すると、用紙Ｓが前記搬送方向に搬送されるため、搬送方向上流側のノズルから噴射されるインクほど早いタイミングで用紙Ｓに着弾されることとなる。本実施の形態に係る非複合ノズル列においては、各色のノズルが、ブラックＫ→シアンＣ→マゼンタＭ→イエローＹの順で搬送方向に並んでいるから、三色の色重ね順は、必ずシアンＣ→マゼンタＭ→イエローＹとなる。
【００３２】
一方、複合ノズル列においては、各色のノズルが、（第一ノズル列の）ブラックＫ→（第一ノズル列の）シアンＣ→（第一ノズル列の）マゼンタＭ→（第一ノズル列の）イエローＹ→（第二ノズル列の）ブラックＫ→（第二ノズル列の）シアンＣ→（第二ノズル列の）マゼンタＭ→（第二ノズル列の）イエローＹの順で搬送方向に並んでおり、重ねられるシアンＣ、マゼンタＭ、イエローＹの各々の色毎に、インクを噴射可能なノズルが２つ（すなわち、第一ノズル列のノズルと第二ノズル列のノズル）存在する。そこで、コントローラ１０は、色毎に（つまり、シアンＣ、マゼンタＭ、イエローの三色の各々毎に）第一ノズル列及び第二ノズル列のどちらか一方のノズルからインクを噴射させて、前記三色が色重ねされたドットを搬送方向に沿って複数配列させることによりラスタラインを形成する。例えば、ラスタラインに属するあるドット（ドットａとする）については、第一ノズル列からのシアンＣのインク、マゼンタＭのインク、イエローＹのインクが重ねられる場合がある。また、他のドット（ドットｂとする）について、第二ノズル列からのシアンＣのインク、第一ノズル列からのマゼンタＭのインク、イエローＹのインクが重ねられる場合もあるし、また他のドット（ドットｃとする）について、第二ノズル列からのシアンＣのインク、マゼンタＭのインク、第一ノズル列からのイエローＹのインクが重ねられる場合もある。
【００３３】
そして、複合ノズル列についても、搬送方向上流側のノズルから噴射されるインクほど早いタイミングで用紙Ｓに着弾される点については同様であるため、三色の色重ね順は、非複合ノズル列の場合とは異なり、不定となる。例えば、前記ドットａについては、三色の色重ね順は、非複合ノズル列の場合と同様、シアンＣ→マゼンタＭ→イエローＹとなるが、前記ドットｂについては、マゼンタＭ→イエローＹ→シアンＣ、前記ドットｃについては、イエローＹ→シアンＣ→マゼンタＭとなる。
【００３４】
＝＝＝選択率について＝＝＝
上述したように、本実施の形態に係るプリンタ１においては、幅方向において互いに隣り合う上流側ヘッド３２及び下流側ヘッド３３のうちの一方のヘッドの端部と他方のヘッドの端部が幅方向において重なるようにヘッドが配置されることにより、複合ノズル列が形成され、コントローラ１０が、搬送される用紙Ｓに対し色毎に複合ノズル列の前記第一ノズル列及び前記第二ノズル列のどちらか一方のノズルからインクを噴射させて、色重ねされたドットを搬送方向に沿って複数配列させることによりラスタラインを形成する。
【００３５】
ここで、上記のようにすることにより生ずるメリットについて説明すると、上記のようにしない場合（例えば、互いに隣り合うヘッド間に重なり部分がなく、単に、複数のヘッドを幅方向において一直線上に並べたような場合）には、ヘッドの取り付け誤差により例えば互いに隣り合うヘッドの間隔が開き過ぎた際に、画像において白スジ（ドットの存在しない部分）が目立ってしまうが、上記のようにすれば当該白スジの発生を抑制できる。また、ヘッドの取り付けについて誤差がない場合であっても、互いに隣り合うヘッド間のヘッドの特性差が大きいと、当該特性差が画像に現れて、一方のヘッドにより形成された画像部分と他方のヘッドにより形成された画像部分との境界を境にして画像特性が急激に変わってしまう現象が生じ得るが、上記のようにすればかかる現象の発生も抑制できる。
【００３６】
そして、従来のプリンタ１においても、当該メリットを享受するために、上記のようなことが行われてきた。
【００３７】
また、既述のとおり、本実施の形態及び従来例に係るプリンタ１の双方において、コントローラ１０は、搬送される用紙Ｓに対し色毎に複合ノズル列の前記第一ノズル列及び前記第二ノズル列のどちらか一方のノズルからインクを噴射させるが、前記第一ノズル列及び前記第二ノズル列をどのような割合で選択するかについては、予め決められている。つまり、ドット単位で見た場合には、第一ノズル列から噴射されるインクと第二ノズル列から噴射されるインクのどちらによりドットが形成されるかはランダムに決定されるものの、ラスタライン単位で見た場合には、第一ノズル列から噴射されるインクと第二ノズル列から噴射されるインクの比が所定値となるようになっている（かかる事項を実現するための方策については、後に詳述する）。
【００３８】
すなわち、本実施の形態及び従来例に係るプリンタ１の双方において、コントローラ１０は、第一ノズル列（第二ノズル列）から噴射されるインクにより形成されるドットの数の、ラスタラインに属する全ドットの数に対する比率が所定値となるようにインクを噴射させて、色重ねされたドットを複数配列させることによりラスタラインを形成する。換言すれば、コントローラ１０は、第一ノズル列（第二ノズル列）から噴射されるインクのラスタライン上の量の、第一ノズル列から噴射されるインクと第二ノズル列から噴射されるインクのラスタライン上の量の和（つまり、ラスタライン上の全インク量）に対する比率が所定値となるようにインクを噴射させて、色重ねされたドットを複数配列させることによりラスタラインを形成する。
【００３９】
以下では、先ず、従来例に係るプリンタ１において、前記比率（以下、便宜上、選択率とも呼ぶ）がどのように設定されていたかについて述べ、かかる場合の問題点について説明する。
【００４０】
引き続いて、本実施の形態において、選択率がどのように設定されるかについて述べ、この場合に、従来における当該問題点が解消されることについて説明する。また、これに引き続いて、前記方策について説明する
＜＜＜従来例に係るプリンタ１における選択率の設定と問題点について＞＞＞
先ず、従来例に係るプリンタ１における選択率の設定について、図４を用いて説明する。図４は、従来例に係るプリンタ１における選択率を示した模式図である。
【００４１】
図４の上側には、Ｍ個（８個）の複合ノズル列が示されており、説明の都合上、手前側（一端側）の複合ノズル列から奥側（他端側）の複合ノズル列に向かって順に、Ｌ１〜Ｌ８としている。また、複合ノズル列よりも奥側に位置する非複合ノズル列である第一ノズル列をＳ１、複合ノズル列よりも手前側に位置する非複合ノズル列である第二ノズル列をＳ２としている。
【００４２】
また、図４の下側には、複合ノズル列Ｌ１〜Ｌ８の各々に対する第一ノズル列の選択率が示されている。なお、参考のため、非複合ノズル列Ｓ１、Ｓ２に対する第一ノズル列の選択率も示している（当然のことながら、非複合ノズル列Ｓ１は第一ノズル列であるため、当該非複合ノズル列Ｓ１に対する第一ノズル列の選択率は１００％となり、非複合ノズル列Ｓ２は第二ノズル列であるため、当該非複合ノズル列Ｓ２に対する第一ノズル列の選択率は０％となる）。
【００４３】
なお、図４には、第一ノズル列の選択率のみを示し、第二ノズル列の選択率を示していない。これは、第二ノズル列の選択率＝１００％−第一ノズル列の選択率という関係式が成り立つので、第一ノズル列の選択率が決まれば、第二ノズル列の選択率も自動的に決まるからである。このことから、以下では、第一ノズルの選択率の設定のみについて言及し、第二ノズルの選択率の設定については言及しない。また、選択率と言った場合には、第一ノズル列の選択率を意味するものとする。
【００４４】
図４から明らかなように、従来例に係るプリンタ１においては、複合ノズル列に対する選択率が一律５０％に設定されており、色の相違や複合ノズル列Ｌ１〜Ｌ８のうちのどのノズル列であるかによって選択率が異なることはなかった。
【００４５】
すなわち、当該プリンタ１においては、ドット単位で見た場合に、第一ノズル列から噴射されるシアンＣのインクと第二ノズル列から噴射されるシアンＣのインクのどちらによりドットが形成されるかはランダムに決定されるものの、ラスタライン単位で見た場合には、第一ノズル列から噴射されるシアンＣのインクと第二ノズル列から噴射されるシアンＣのインクの比が１：１となるようになっていた。また、このことは、シアンＣのインクだけでなく、マゼンタＭ、イエローＹ、ブラックＫのインクについても同様であった（なお、従来例及び本実施の形態においては、ブラックＫのインクは色重ねの対象色としていない。従来例において、ブラックＫのインクについて選択率が５０％であることは、モノクロ印刷をする場合などに当該選択率となることを意味している）。
【００４６】
＜選択率が上記のように設定された場合の問題点について＞
従来例における一律５０％という選択率の設定は単純かつ簡便である。しかしながら、このように選択率が設定された場合には、複合ノズル列から噴射されるインクにより形成されるドットにおける色重ね順と非複合ノズル列（非複合ノズル列Ｓ１、Ｓ２等）から噴射されるインクにより形成されるドットにおける色重ね順とが異なることに起因する問題点が生じていた。
【００４７】
すなわち、「印刷処理例」の項で既に説明したように、非複合ノズル列から噴射されるインクにより形成されるドットにおける色重ね順は、必ずシアンＣ→マゼンタＭ→イエローＹとなる。すなわち、当該色重ね順は、ノズル列において搬送方向に並んだノズルの色順と必ず一致する。これに対し、複合ノズル列から噴射されるインクにより形成されるドットにおける色重ね順は、不定である。
【００４８】
ここで、複合ノズル列における色重ね順について、さらに詳しく考察すると、当該色重ね順としては、以下の５つのケースが生じ得る。
【００４９】
第一ケースは、非複合ノズル列における色重ね順と同様の色重ね順であるシアンＣ→マゼンタＭ→イエローＹであり、このケースは、４通りの組み合わせ（第一ノズル列からのシアンＣのインク、マゼンタＭのインク、イエローＹのインクが重ねられる場合、第二ノズル列からのシアンＣのインク、マゼンタＭのインク、イエローＹのインクが重ねられる場合、第一ノズル列からのシアンＣのインク、マゼンタＭのインク、第二ノズル列からのイエローＹのインクが重ねられる場合、第一ノズル列からのシアンＣのインク、第二ノズル列からのマゼンタＭのインク、イエローＹのインクが重ねられる場合）で発生する。
【００５０】
また、第二のケースは、シアンＣ→イエローＹ→マゼンタＭであり、このケースは、１通りの組み合わせ（第一ノズル列からのシアンＣのインク、第二ノズル列からのマゼンタＭのインク、第一ノズル列からのイエローＹのインクが重ねられる場合）で発生する。
【００５１】
また、第三のケースは、マゼンタＭ→シアンＣ→イエローＹであり、このケースは、１通りの組み合わせ（第二ノズル列からのシアンＣのインク、第一ノズル列からのマゼンタＭのインク、第二ノズル列からのイエローＹのインクが重ねられる場合）で発生する。
【００５２】
また、第四のケースは、マゼンタＭ→イエローＹ→シアンＣであり、このケースは、１通りの組み合わせ（第二ノズル列からのシアンＣのインク、第一ノズル列からのマゼンタＭのインク、イエローＹのインクが重ねられる場合）で発生する。
【００５３】
また、第五のケースは、イエローＹ→シアンＣ→マゼンタＭであり、このケースは、１通りの組み合わせ（第二ノズル列からのシアンＣのインク、マゼンタＭのインク、第一ノズル列からのイエローＹのインクが重ねられる場合）で発生する。
【００５４】
このように、８通りの組み合わせのうちの４通りの組み合わせで、複合ノズル列における色重ね順が非複合ノズル列における色重ね順と異なることとなる。また、これに加えて、選択率が色の相違によらず一律５０％であるため、非複合ノズル列における色重ね順と異なる色重ね順のドットが、二分の一の確率で発生することとなる。
【００５５】
次に、複合ノズル列における色重ね順と非複合ノズル列における色重ね順とが異なることに起因する問題点について説明する。
【００５６】
ところで、複数のインクが重ねられる際には、個々のインクの滲み具合が、そのインクが何番目に重ねられるかによって異なる。例えば、１番目に重ねられるインクは、当該インクが用紙Ｓに着弾する際に着弾先にインクが存在しないため（すなわち、用紙Ｓ上の着弾先が乾いているため）、インクの滲みが少ない。一方、３番目に重ねられるインクは、当該インクが用紙Ｓに着弾する際に着弾先に２つのインクが存在するため（すなわち、用紙Ｓ上の着弾先が顕著に湿っているため）、インクの滲みが顕著に多くなる。
【００５７】
したがって、シアンＣ、マゼンタＭ、イエローＹの三色が色重ねされたドットにより実現される画像（画素）の画像特性は、当該三色の色重ね順が異なることにより、相違することとなる。例えば、シアンＣ→マゼンタＭ→イエローＹの順に色重ねされたドットは、シアンＣのインクがあまり滲まずにイエローＣのインクが顕著に滲んだドットとなり、マゼンタＭ→イエローＹ→シアンＣの順に色重ねされたドットは、マゼンタＭのインクがあまり滲まずにシアンＣのインクが顕著に滲んだドットとなる。そのため、双方のドットにより実現される画像（画素）の画像特性は、同じ三色を色重ねしたにも関わらず、互いに異なるものとなる。
【００５８】
そして、前述したとおり、非複合ノズル列から噴射されるインクにより形成されるドットにおける色重ね順は必ずシアンＣ→マゼンタＭ→イエローＹである一方で、複合ノズル列から噴射されるインクにより形成されるドットについては、非複合ノズル列における色重ね順と異なる色重ね順のドットが二分の一の確率で発生してしまうため、非複合ノズル列から噴射されるインクにより形成される（ラスタラインの集合体である）画像部分と複合ノズル列から噴射されるインクにより形成される画像部分との画像特性が異なるものとなり（当該画像特性の相違が、画像上でスジとして現れる場合がある）、画像（全体の画像）の画質が劣化してしまうこととなる。
【００５９】
そして、このような問題点を解消させるため（すなわち、当該画質を向上させるため）には、複合ノズル列から噴射されるインクにより形成されるドットについて、非複合ノズル列における色重ね順と異なる色重ね順のドットがなるべく発生しないようにすることが必要となる。
【００６０】
＜＜＜本実施の形態に係るプリンタ１における選択率の設定について＞＞＞
次に、本実施の形態に係るプリンタ１における選択率の設定について、図５を用いて説明する。図５は、本実施の形態に係るプリンタ１における選択率を示した模式図である。なお、図５は、既に示した図４に対応する図となっており、その見方は図４と同じであるため、当該見方についての説明は省略する。
【００６１】
図５から明らかなように、本実施の形態に係るプリンタ１においては、従来例に係るプリンタ１とは異なり、複合ノズル列に対する選択率が、色の相違や複合ノズル列Ｌ１〜Ｌ８のうちのどのノズル列であるかによって異なっている。
【００６２】
先ず、選択率が色の相違によって異なる点について説明すると、本実施の形態においては、図５に示すように、第一色（例えば、シアンＣ）のインクの選択率が、前記搬送方向において該第一色よりも後の色順である第二色（例えば、マゼンタＭ）のインクの選択率よりも大きくなっている。すなわち、本実施の形態に係るプリンタ１のコントローラ１０は、第一ノズル列から噴射される前記第一色（例えば、シアンＣ）のインクにより形成されるドットの数の、ラスタラインに属し前記第一色（例えば、シアンＣ）のインクにより形成される全ドットの数に対する比率が、第一ノズル列から噴射される前記第二色（例えば、マゼンタＭ）のインクにより形成されるドットの数の、ラスタラインに属し前記第二色（例えば、マゼンタＭ）のインクにより形成される全ドットの数に対する比率よりも大きくなるようにインクを噴射させて、ラスタラインを形成する。換言すれば、コントローラ１０は、第一ノズル列から噴射される前記第一色（例えば、シアンＣ）のインクのラスタライン上の量をＡ１、第二ノズル列から噴射される前記第一色（例えば、シアンＣ）のインクのラスタライン上の量をＡ２、第一ノズル列から噴射される前記第二色（例えば、マゼンタＭ）のインクのラスタライン上の量をＢ１、第二ノズル列から噴射される前記第二色（例えば、マゼンタＭ）のインクのラスタライン上の量をＢ２、としたときに、Ａ１のＡ１＋Ａ２に対する比率（以下、第一比率とも呼ぶ）がＢ１のＢ１＋Ｂ２に対する比率（以下、第二比率とも呼ぶ）よりも大きくなるようにインクを噴射させて、ラスタラインを形成する。
【００６３】
そして、このようにすることにより、前述した問題点を解決することができる。すなわち、従来例と比較した場合に、前述した８通りの組み合わせが生ずる可能性があり、当該８通りの組み合わせのうちの４通りの組み合わせで複合ノズル列における色重ね順が非複合ノズル列における色重ね順と異なる点については同様であるが、選択率を色の相違によらず一律とするのではなく、色の相違に応じて上記のようにしたので、非複合ノズル列における色重ね順と異なる色重ね順のドットの発生確率（前記４通りの組み合わせの発生確率）が二分の一よりも減ることとなる。
【００６４】
すなわち、複合ノズル列から噴射されるインクにより形成されるドットについて、非複合ノズル列における色重ね順と異なる色重ね順のドットが発生しにくくなり、非複合ノズル列から噴射されるインクにより形成される画像部分と複合ノズル列から噴射されるインクにより形成される画像部分との画像特性とが相違することが抑制され、画像（全体の画像）の画質が向上することとなる。
【００６５】
また、本実施の形態においては、色重ねされる三色について、上述した選択率に係る関係が成立する（つまり、前記第一色をシアンＣ、前記第二色をマゼンタＭとした場合だけでなく、第一色をシアンＣ、第二色をイエローＹとした場合、第一色をマゼンタＭ、第二色をイエローＹとした場合、についても当該関係が成立する）。すなわち、シアンＣのインクの選択率が、前記搬送方向において該シアンＣよりも後の色順であるマゼンタＭ及びイエローＹのインクの選択率よりも大きくなっており、マゼンタＭのインクの選択率が、前記搬送方向において該マゼンタＭよりも後の色順であるイエローＹのインクの選択率よりも大きくなっている。
【００６６】
すなわち、本実施の形態に係るプリンタ１のコントローラ１０は、第一ノズル列から噴射されるシアンＣのインクにより形成されるドットの数の、ラスタラインに属しシアンＣのインクにより形成される全ドットの数に対する比率が、第一ノズル列から噴射されるマゼンタＭのインクにより形成されるドットの数の、ラスタラインに属しマゼンタＭのインクにより形成される全ドットの数に対する比率よりも大きくなるようにインクを噴射させて、ラスタラインを形成する。また、第一ノズル列から噴射されるマゼンタＭのインクにより形成されるドットの数の、ラスタラインに属しマゼンタＭのインクにより形成される全ドットの数に対する比率が、第一ノズル列から噴射されるイエローＹのインクにより形成されるドットの数の、ラスタラインに属しイエローＹのインクにより形成される全ドットの数に対する比率よりも大きくなるようにインクを噴射させて、ラスタラインを形成する。
【００６７】
換言すれば、コントローラ１０は、第一ノズル列から噴射されるシアンＣのインクのラスタライン上の量をＣ１、第二ノズル列から噴射されるシアンＣのインクのラスタライン上の量をＣ２、第一ノズル列から噴射されるマゼンタＭのインクのラスタライン上の量をＭ１、第二ノズル列から噴射されるマゼンタＭのインクのラスタライン上の量をＭ２、第一ノズル列から噴射されるイエローＹのインクのラスタライン上の量をＹ１、第二ノズル列から噴射されるイエローＹのインクのラスタライン上の量をＹ２、としたときに、Ｃ１のＣ１＋Ｃ２に対する比率＞Ｍ１のＭ１＋Ｍ２に対する比率＞Ｙ１のＹ１＋Ｙ２に対する比率という関係式を満たすようにインクを噴射させて、ラスタラインを形成する。
【００６８】
そのため、複合ノズル列から噴射されるインクにより形成されるドットについて、非複合ノズル列における色重ね順と異なる色重ね順のドットがより一層発生しにくくなり、非複合ノズル列から噴射されるインクにより形成される画像部分と複合ノズル列から噴射されるインクにより形成される画像部分との画像特性とが相違することがさらに抑制され、画像（全体の画像）の画質がより一層向上することとなる。
【００６９】
さらに、本実施の形態に係るプリンタ１においては、図５に示したように、従来例に係るプリンタ１とは異なり、複合ノズル列に対する選択率が、複合ノズル列Ｌ１〜Ｌ８のうちのどのノズル列であるかによって異なっている。すなわち、本実施の形態において、コントローラ１０は、搬送される用紙Ｓに対し、色毎に、かつ、Ｍ個（８個）の複合ノズル列の各々毎に、複合ノズル列に属する第一ノズル列及び第二ノズル列のどちらか一方のノズルからインクを噴射させて、色重ねされたドットを搬送方向に沿って複数配列させることによりＭ個（８個）のラスタラインを形成するが、この形成されたＭ個（８個）のラスタラインの中の奥側（他端側）に位置するラスタラインほど選択率が大きくなっている（図５から明らかなように、各色のいずれについても、Ｌ１→Ｌ２→Ｌ３→Ｌ４→Ｌ５→Ｌ６→Ｌ７→Ｌ８の順に選択率が増加している）。
【００７０】
すなわち、コントローラ１０は、Ｍ個（８個）のラスタラインの中の奥側（他端側）に位置するラスタラインほど前述した第一比率及び第二比率が大きくなるようにインクを噴射させて、ラスタラインを形成する。
【００７１】
そして、このようにすることにより、以下のメリットが生ずる。すなわち、かかる場合には、Ｍ個（８個）のラスタラインについて、奥側（他端側）に位置するラスタラインほど第一ヘッド３２０の第一ノズル列からのインクにより形成されたドットが多くなる傾向にあり、手前側（一端側）に位置するラスタラインほど第二ヘッド３３０の第二ノズル列からのインクにより形成されたドットが多くなる傾向にある。そして、第一ヘッド３２０と第二ヘッド３３０との間に特性差が生じると当該特性差が画像に現れる点については既に説明したが、この場合には、複合ノズル列から噴射されるインクにより形成される画像部分において、奥側（他端側）ほど第一ヘッド３２０の特性が顕著に現れ、手前側（一端側）ほど第二ヘッド３３０の特性が顕著に現れることとなる。そして、複合ノズル列から噴射されるインクにより形成される画像部分よりも幅方向における奥側（他端側）には、非複合ノズル列である第一ヘッド３２０の第一ノズル列のみから噴射されるインクにより形成される画像部分（当該画像部分には、第一ヘッド３２０の特性のみが現れている）が、複合ノズル列から噴射されるインクにより形成される画像部分よりも幅方向における手前側（一端側）には、非複合ノズル列である第二ヘッド３３０の第二ノズル列のみから噴射されるインクにより形成される画像部分（当該画像部分には、第二ヘッド３３０の特性のみが現れている）が、位置することとなるから、前記幅方向において画像特性がなだらか（非急激）に変化する画像を得ることが可能となる。したがって、画像の画質を向上させることができる。
【００７２】
次に、本実施の形態において、複合ノズル列に対する選択率を、色毎に、かつ、複合ノズル列Ｌ１〜Ｌ８の各々毎に、具体的にどのような値としているかについて、図５を用いて説明する。図５のｘ軸においては、Ｓ２、Ｌ１〜Ｌ８、Ｓ１が等間隔に座標上に配置されている（すなわち、Ｓ２のｘ軸上の値を０、Ｓ１のｘ軸上の値を９としたときに、Ｌ１〜Ｌ８のｘ軸上の値は１〜８となる）。そして、図５には、色毎に二次曲線が表されており、どの二次曲線も点（０，０）、点（９，１００）を通るようになっている。また、ブラックＫ、シアンＣの二次曲線については、さらに点（４．５，６５）を、マゼンタＭの二次曲線については、さらに点（４．５，３５）を、イエローＹについては、さらに点（４．５，１９）を通るようになっている。
【００７３】
そして、色毎、かつ、複合ノズル列Ｌ１〜Ｌ８の各々毎の選択率は、これらの二次曲線に基づいて設定されている。すなわち、複合ノズル列Ｌｉ（ｉ＝１〜８）に対するブラックＫ及びシアンＣについての選択率は、点（０，０）、点（９，１００）、点（４．５，６５）を通る二次曲線において、ｘ軸上の値がｉであるときのｙ軸上の値となる。また、複合ノズル列Ｌｉに対するマゼンタＭについての選択率は、点（０，０）、点（９，１００）、点（４．５，３５）を通る二次曲線において、ｘ軸上の値がｉであるときのｙ軸上の値となる。同様に、複合ノズル列Ｌｉに対するイエローＹについての選択率は、点（０，０）、点（９，１００）、点（４．５，１９）を通る二次曲線において、ｘ軸上の値がｉであるときのｙ軸上の値となる。
【００７４】
なお、前述したとおり、本実施の形態においては、ブラックＫのインクは色重ねの対象色としていない。本実施の形態において、ブラックＫのインクについて選択率が上記の値であることは、モノクロ印刷をする場合などに当該選択率となることを意味している。
【００７５】
＜＜＜各ドットを第一ノズル列及び第二ノズル列のどちらからのインクにより形成するかについての決定方法＞＞＞
上述したとおり、本実施の形態に係るプリンタ１においては、ドット単位で見た場合には、第一ノズル列から噴射されるインクと第二ノズル列から噴射されるインクのどちらによりドットが形成されるかはランダムに決定されるものの、ラスタライン単位で見た場合には、第一ノズル列から噴射されるインクと第二ノズル列から噴射されるインクの比が所定値となるようになっている。
【００７６】
より具体的には、ドット単位で見た場合には、第一ノズル列から噴射されるシアンＣのインクと第二ノズル列から噴射されるシアンＣのインクのどちらによりドットが形成されるかはランダムに決定されるものの、ラスタライン単位で見た場合には、第一ノズル列から噴射されるシアンＣのインクのラスタライン上の量をＣ１、第二ノズル列から噴射されるシアンＣのインクのラスタライン上の量をＣ２、としたときの、Ｃ１のＣ１＋Ｃ２に対する比率は、複合ノズル列Ｌ１〜Ｌ８の各々毎に、図５に示した所定値となるようになっている（また、このことは、シアンＣのインクだけでなく、他の色のインクについても同様である）。
【００７７】
ここでは、図６を用いて、各ドットを第一ノズル列及び第二ノズル列のどちらからのインクにより形成するかについての決定方法を説明し、上記を実現するための方策を明らかにする。図６は、各ドットを第一ノズル列及び第二ノズル列のどちらからのインクにより形成するかについての決定方法を説明するための説明図である。
【００７８】
この決定方法は、前述した画像処理において一般的に実施されるハーフトーン処理（多階調のデータを二値化されたデータに変換する処理）と同様の技術を用いたものである。
【００７９】
先ず、図６の左図に示すような画像に対応した画像データを作成する。この画像は、Ｍ個（すなわち、複合ノズル列の個数。本実施の形態においては８個）×Ｎ個（ラスタライン上に配列されたドットの数）の画素からなり、各々の画素の画像（画素）データは、多階調（例えば、０〜２５５）のデータとなっている。
【００８０】
当該画像は、Ｍ（８）種類の濃度の帯状パターンにより構成されている。すなわち、同じ帯状パターンに属するＮ個の画素の画像（画素）データの階調値はどれも同じ値となっている一方で、Ｍ個の帯状パターンの各々の画像（画素）データの階調値は互いに異なっている。
【００８１】
そして、Ｍ個の帯状パターンの各々の画像（画素）データの階調値は、シアンＣについての複合ノズル列Ｌ１〜Ｌ８の各々毎の選択率（図５に示したもの）に対応している。すなわち、図５に示した複合ノズル列Ｌ１、Ｌ２、Ｌ３、Ｌ４、Ｌ５、Ｌ６、Ｌ７、Ｌ８に対するシアンＣについての選択率を、それぞれａ１％、ａ２％、ａ３％、ａ４％、ａ５％、ａ６％、ａ７％、ａ８％とすると、Ｍ個の帯状パターンの各々の画像（画素）データの階調値は、図６中左から、２５５×（ａ１／１００）、２５５×（ａ２／１００）、２５５×（ａ３／１００）、２５５×（ａ４／１００）、２５５×（ａ５／１００）、２５５×（ａ６／１００）、２５５×（ａ７／１００）、２５５×（ａ８／１００）となっている。
【００８２】
次に、当該多階調の画像データに対して、一般的に知られているディザ法や誤差拡散法等によるハーフトーン処理を実行し、二値化された画像データを作成する。図６の中央部に示した画像は、当該二値化された画像データにより実現される画像の一例を表したものである（黒く塗りつぶされた画素が、画像（画素）データが‘１’であることを、塗りつぶされていない白い画素が、画像（画素）データが‘０’であることを意味している）。
【００８３】
そして、Ｍ個×Ｎ個の当該画像（画素）データの各々を、Ｍ個（８個）のラスタラインに属する各々のドット（Ｍ個×Ｎ個のドット）と対応させて、各々のドットを第一ノズル列及び第二ノズル列のどちらからのシアンＣのインクにより形成するかを決定する。すなわち、図６の中央図と右図とを比較することにより理解されるように、‘１’である画像（画素）データに対応するドットについては、第一ノズル列からのシアンＣのインクにより形成することとし、‘０’である画像（画素）データに対応するドットについては、第二ノズル列からのシアンＣのインクにより形成することとする（右図のドット中の数字１、２は、それぞれ、第一ノズル列からのシアンＣのインクにより形成されることと、第二ノズル列からのシアンＣのインクにより形成されることとを意味している）。換言すれば、右図に中央図を重ねた際に（中央図をマスクとして用いた際に）、黒く塗りつぶされた部分（画素）によりマスキングされるドットについては、第一ノズル列からのシアンＣのインクにより形成することとし、マスキングされないドットについては、第二ノズル列からのシアンＣのインクにより形成することする。
【００８４】
また、上述した処理は、シアンＣについての処理であり、他の色についても同様の処理を行う。例えば、マゼンタＭについては、図５に示した複合ノズル列Ｌ１、Ｌ２、Ｌ３、Ｌ４、Ｌ５、Ｌ６、Ｌ７、Ｌ８に対するマゼンタＭについての選択率がそれぞれｂ１％、ｂ２％、ｂ３％、ｂ４％、ｂ５％、ｂ６％、ｂ７％、ｂ８％である場合に、Ｍ個の帯状パターンの各々の画像（画素）データの階調値を、２５５×（ｂ１／１００）、２５５×（ｂ２／１００）、２５５×（ｂ３／１００）、２５５×（ｂ４／１００）、２５５×（ｂ５／１００）、２５５×（ｂ６／１００）、２５５×（ｂ７／１００）、２５５×（ｂ８／１００）として、図６の左図に示した画像に対応した画像（正確には、画像データ）を先ず作成する。そして、当該画像データに対して、ハーフトーン処理を実行した後に、マスキング処理を行うこととなる。また、イエローＹ、ブラックＫについても同様である。
【００８５】
＝＝＝その他の実施の形態＝＝＝
上記の実施の形態は、主としてプリンタを有する印刷システムについて記載されているが、流体（インク）噴射方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００８６】
上述の実施形態においては、流体噴射方法を実施する流体噴射装置としてインクジェットプリンタを例示していたが、これに限らない。流体噴射装置であれば、プリンタ（印刷装置）ではなく、様々な工業用装置に適用可能である。例えば、布地に模様をつけるための捺染装置、カラーフィルター製造装置や有機ＥＬディスプレイ等のディスプレイ製造装置、チップへＤＮＡを溶かした溶液を塗布してＤＮＡチップを製造するＤＮＡチップ製造装置、回路基板製造装置等であっても、本発明を適用することができる。
【００８７】
また、流体の噴射方式は、駆動素子（ピエゾ素子）に電圧をかけて、インク室を膨張・収縮させることにより流体を噴射するピエゾ方式でもよいし、発熱素子を用いてノズル内に気泡を発生させ、その気泡によって流体を噴射させるサーマル方式でもよい。
【００８８】
また、上述の実施形態においては、インクジェットプリンタとして、移動しないヘッドユニットを有するラインヘッドインクジェットプリンタを例に挙げて説明したが、これに限定されるものではなく、例えば、ヘッドユニットが移動する所謂シリアルプリンタにも本発明を適用できる。
【００８９】
また、上述の実施形態においては、媒体（用紙）をヘッドユニットに対して所定方向（搬送方向）に相対移動させる移動機構として、媒体（用紙）をヘッドユニットに対して移動させる搬送ユニットを例に挙げて説明した。すなわち、上述の実施形態に係るプリンタを、搬送方向においてヘッドユニットが移動せずに媒体（用紙）が移動するプリンタとしたが、これに限定されるものではない。例えば、前記移動機構は、ヘッドユニットを媒体（用紙）に対して移動させる機構であることとしてもよい（すなわち、搬送方向において媒体（用紙）が移動せずにヘッドユニットが移動するプリンタとしてもよい）。
【００９０】
また、上述の実施形態において、コントローラは、Ｍ個（８個）のラスタラインの中の他端側（奥側）に位置するラスタラインほど前記第一比率及び前記第二比率が大きくなるようにインクを噴射させて、ラスタラインを形成することとしたが、これに限定されるものではなく、例えば、図７に示すように、Ｍ個（８個）のラスタライン間で前記第一比率及び前記第二比率が同じとなるようにインクを噴射させて、ラスタラインを形成することとしてもよい。
【００９１】
また、上述の実施形態に係るプリンタは、ブラックＫ、シアンＣ、マゼンタＭ、イエローＹの４色のインクを有することとし、そのうちのシアンＣ、マゼンタＭ、イエローＹの３色のインクが色重ねされることとした。そして、当該３色に関して、前記第一比率が前記第二比率よりも大きくなるようにすることとした。
【００９２】
しかしながら、これに限定されるものではない。例えば、ブラックＫも色重ねされることとし、ブラックＫを含めた４色に関して、前記第一比率が前記第二比率よりも大きくなるようにすることとしてもよい。また、プリンタが、前記４色とは異なる色のインク（例えば、ライトシアン、ライトマゼンタ、ダークイエロー等）を有しており、これらの色を含めた多色に関して、前記第一比率が前記第二比率よりも大きくなるようにすることとしてもよい。
【００９３】
また、上述の実施形態においては、第一ヘッド３２０の第一ノズル列におけるブラックＫ、シアンＣ、マゼンタＭ、イエローＹの搬送方向における並び順が、第二ヘッド３３０の第二ノズル列における当該４色の搬送方向における並び順と同じであることとしたが、これに限定されるものではなく、前述した第一色（例えば、シアンＣ）と第二色（例えば、マゼンタＭ）について、第一ノズル列における並び順と第二ノズル列における並び順とが同じであればよい。例えば、第一ノズル列における４色の並び順がブラックＫ→シアンＣ→マゼンタＭ→イエローＹ、第二ノズル列における４色の並び順がシアンＣ→マゼンタＭ→イエローＹ→ブラックＫである場合であってもよい。
【００９４】
また、上記実施形態においては、単一の第一ノズル列と単一の第二ノズル列とにより複合ノズル列が形成されていることとしたが、これに限定されるものではない。例えば、単一の第一ノズル列（第二ノズル列）と前記幅方向において互いに隣り合う２つの第二ノズル列（第一ノズル列）とにより複合ノズル列が形成されている場合であってもよい。ヘッドの取り付け誤差等に起因して、第一ノズル列と第二ノズル列とが一直線上に並ばない状況となり、かかる際に、幅方向において互いに隣り合う２つの第二ノズル列（第一ノズル列）と前記幅方向において当該２つの第二ノズル列の間に位置する単一の第一ノズル列（第二ノズル列）とで前述した複合ノズル列を形成し、前述した処理（ラスタラインの形成など）を行うようなケース（かかるケースにおいては、複合ノズル列に属する単一の第一ノズル列及び２つの第二ノズル列のノズルから流体を噴射させて、当該複合ノズル列に対応したラスタラインを形成する）も本発明の一実施形態である。
【００９５】
また、コントローラが、前記第一比率及び前記第二比率の値を、媒体の種類又は印刷モードの種類に応じて変更することとしてもよい。すなわち、上述の実施形態においては、媒体の種類や印刷モードの種類によって第一比率の値や第二比率の値が変わることはなかったが、これらの値を媒体の種類又は印刷モードの種類に応じて変わるようにしてもよい。例えば、５種類の媒体と２種類の印刷モードによる１０（＝５×２）種類の組み合わせの各々毎に、前記第一比率の値及び前記第二比率の値の組み合わせが変わるようにしてもよい。
【００９６】
このようにすれば、第一比率の値や第二比率の値を媒体の特性（インクの滲み易さ等）や印刷モードの特性（どの程度の大きさのドットが形成される印刷モードか等）が考慮された適切な値とすることが可能となる。
【００９７】
また、上述した実施形態に濃度補正処理を加えると、画像の画質がさらに向上し、より効果的である。当該濃度補正処理とは、例えば、媒体にテストパターンを印刷する処理と、媒体に印刷された当該テストパターンをスキャナ等により読み取る処理と、その読み取り濃度に応じて画像の濃度を補正するための補正値を求める処理と、求められた当該補正値に基づいて画像の濃度補正を実行する処理とを備える処理である。
【００９８】
また、上述の実施形態においては、図５に示したとおり、複合ノズル列Ｌ１〜Ｌ８の各々毎の選択率を３ポイントの座標により規定される二次曲線に基づいて設定することとしたがこれに限定されるものではない。例えば、３ポイントの座標を結んだ直線（折れ線）に基づいて設定することとしてもよい。また、二次曲線や直線によらず設定されることとしてもよい。
【図面の簡単な説明】
【００９９】
【図１】本実施形態に係る印刷システムの全体構成ブロック図である。
【図２】図２Ａは、プリンタ１の断面図である。図２Ｂは、プリンタ１が用紙Ｓを搬送する様子を示す図である。
【図３】ヘッドユニット３０の下面におけるノズルの配列を示した模式図である。
【図４】従来例に係るプリンタ１における選択率を示した模式図である。
【図５】本実施の形態に係るプリンタ１における選択率を示した模式図である。
【図６】各ドットを第一ノズル列及び第二ノズル列のどちらからのインクにより形成するかについての決定方法を説明するための説明図である。
【図７】他の形態に係るプリンタ１における選択率を示した模式図である。
【符号の説明】
【０１００】
１  プリンタ、１０  コントローラ、１１  インターフェース部、
１２  ＣＰＵ、１３  メモリ、１４  ユニット制御回路、
２０  搬送ユニット、２１  給紙ローラ、２２  搬送ローラ、
２３  プラテン、２４  排紙ローラ、
３０  ヘッドユニット、３１  ヘッド、３２  上流側ヘッド、３３  下流側ヘッド、
４０  検出器群、６０  コンピュータ、３２０  第一ヘッド、３３０  第二ヘッド
【図１】
2010058289.tif 000003
【図２】
2010058289.tif 000004
【図３】
2010058289.tif 000005
【図４】
2010058289.tif 000006
【図５】
2010058289.tif 000007
【図７】
2010058289.tif 000008
【図６】
2010058289.tif 000009